(57)【要約】【課題】外部装置の通信速度に応じた最適な画像を表示させ得るコンピュータを提供する。【解決手段】外部装置との間でデータ通信を実行する際の通信速度を第１通信速度および第１通信速度よりも高速の第２通信速度に切り替え可能に構成された通信部１１と、通信部１１を介して外部装置に画像データＤｇを送信させる制御部１２と、外部装置の通信速度が第１通信速度および第２通信速度のいずれであるかを検出するＵＳＢコントローラ１１ｂとを備え、制御部１２は、検出された外部装置の通信速度が第１通信速度のときには画像データＤｇを圧縮した状態で第１通信速度で送信させ、外部装置の通信速度が第２通信速度のときには画像データＤｇを非圧縮の状態または上記圧縮した状態よりも低圧縮の状態で第２通信速度で送信させる。【選択図】図３
2008134675.tif 000002
【特許請求の範囲】
【請求項１】
外部装置との間でデータ通信を実行する際の通信速度を第１通信速度および当該第１通信速度よりも高速の第２通信速度に切り替え可能に構成された通信部と、前記通信部を介して前記外部装置に画像データを送信させる制御部とを備えたコンピュータであって、
前記外部装置の通信速度が前記第１通信速度および前記第２通信速度のいずれであるかを検出する検出部を備え、
前記制御部は、前記検出部によって検出された前記外部装置の通信速度が前記第１通信速度のときには前記画像データを圧縮した状態で当該第１通信速度で送信させ、当該外部装置の通信速度が前記第２通信速度のときには前記画像データを非圧縮の状態または前記圧縮した状態よりも低圧縮の状態で当該第２通信速度で送信させるコンピュータ。
【請求項２】
前記通信部は、ＵＳＢ通信手順に従ってデータ通信を行う請求項１記載のコンピュータ。
【請求項３】
請求項１または２記載のコンピュータと、前記コンピュータの前記通信部との間でデータ通信を実行可能な前記外部装置としてのプロジェクタとを備えたプロジェクタシステムであって、
前記プロジェクタは、受信した前記画像データの圧縮の状態を判別して当該判別結果に応じたデータ処理を当該画像データに対して行うプロジェクタシステム。
【請求項４】
外部装置との間でデータ通信を実行する際の通信速度を第１通信速度および当該第１通信速度よりも高速の第２通信速度に切り替え可能に構成された通信部を介して当該外部装置に画像データを送信するデータ通信方法であって、
前記外部装置の通信速度が前記第１通信速度および前記第２通信速度のいずれであるかを検出し、当該検出した前記外部装置の通信速度が前記第１通信速度のときには前記画像データを圧縮した状態で当該第１通信速度で送信し、当該外部装置の通信速度が前記第２通信速度のときには前記画像データを非圧縮の状態または前記圧縮した状態よりも低圧縮の状態で当該第２通信速度で送信するデータ通信方法。
【発明の詳細な説明】
【技術分野】
【０００１】
本発明は、外部装置に画像データを送信するコンピュータ、そのコンピュータとプロジェクタとを備えたプロジェクタシステム、および外部装置に画像データを送信するデータ通信方法に関するものである。
【背景技術】
【０００２】
この種のプロジェクタシステムとして、特開２００４−６９９９７号公報において出願人が開示したプロジェクタシステムが知られている。このプロジェクタシステムは、ＵＳＢケーブルを介して接続されたＰＣ（パーソナルコンピュータ）とプロジェクタとを備えて構成されている。このプロジェクタシステムでは、ＰＣが例えばＵＳＢ２．０規格に準拠したＵＳＢ通信手順（プロトコル）で画像データをＵＳＢケーブルを介してプロジェクタに転送し、プロジェクタが転送された画像データに基づく画像を投写表示する。
【特許文献１】特開２００４−６９９９７号公報（第８−１２頁、第１図）
【発明の開示】
【発明が解決しようとする課題】
【０００３】
ところが、上記のプロジェクタシステムには、改善すべき以下の課題が存在する。すなわち、このプロジェクタシステムでは、ＰＣがＵＳＢ通信手順に従って画像データをプロジェクタに転送している。ここで、ＵＳＢ通信手順には、通信速度が１．５ＭｂｐｓのLow-Speed モード、および通信速度が１２ＭｂｐｓのFull-Speedモードの２つのモードが規定されたＵＳＢ１．１規格、並びにＵＳＢ１．１規格の上位互換の規格であって通信速度が４８０ＭｂｐｓのHi-Speedモードが規定されたＵＳＢ２．０規格の２種類の規格が存在する。この場合、例えば、ＰＣがＵＳＢ２．０規格に準拠した通信部を備え、プロジェクタがＵＳＢ１．１規格に準拠した通信部を備えているプロジェクタシステムにおいて、ＰＣから４８０Ｍｂｐｓでデータが送信されることを前提に、大きな画像データが作成され、送信されたときには、プロジェクタでの画像データの受信が激しく滞り、スムースな画像表示が困難となるという課題が生じる。この場合、プロジェクタ側のＵＳＢ規格の如何に拘わらず、ＰＣにおいて画像データを圧縮して１．５Ｍｂｐｓまたは１２Ｍｂｐｓの通信速度でその圧縮した画像データを送信する方法が考えられる。しかしながら、この方法では、ＵＳＢ２．０規格に準拠した通信部を備えているプロジェクタをこのＰＣに接続した場合には、高速の通信速度でのデータ通信が可能であるにも拘わらず圧縮された画像データが送信されて低画質の画像しか表示できないという課題が生じる。また、プロジェクタ側の通信速度に合わせてＰＣ側の通信速度や、画像データを圧縮するか否かを切り替え操作によって変更する方法も考えられる。しかしながら、この方法では、切り替え操作が煩雑な上に、プロジェクタの通信部が上記した２種類のＵＳＢ規格のどちらに準拠しているかを予め調べなければならないという不都合がある。
【０００４】
本発明は、かかる改善すべき点に鑑みてなされたものであり、外部装置の通信速度に応じた最適な画像を表示させ得るコンピュータ、プロジェクタシステムおよびデータ通信方法を提供することを主目的とする。
【課題を解決するための手段】
【０００５】
上記目的を達成すべく本発明に係るコンピュータは、外部装置との間でデータ通信を実行する際の通信速度を第１通信速度および当該第１通信速度よりも高速の第２通信速度に切り替え可能に構成された通信部と、前記通信部を介して前記外部装置に画像データを送信させる制御部とを備えたコンピュータであって、前記外部装置の通信速度が前記第１通信速度および前記第２通信速度のいずれであるかを検出する検出部を備え、前記制御部は、前記検出部によって検出された前記外部装置の通信速度が前記第１通信速度のときには前記画像データを圧縮した状態で当該第１通信速度で送信させ、当該外部装置の通信速度が前記第２通信速度のときには前記画像データを非圧縮の状態または前記圧縮した状態よりも低圧縮の状態で当該第２通信速度で送信させる。
【０００６】
また、本発明に係るデータ通信方法は、外部装置との間でデータ通信を実行する際の通信速度を第１通信速度および当該第１通信速度よりも高速の第２通信速度に切り替え可能に構成された通信部を介して当該外部装置に画像データを送信するデータ通信方法であって、前記外部装置の通信速度が前記第１通信速度および前記第２通信速度のいずれであるかを検出し、当該検出した前記外部装置の通信速度が前記第１通信速度のときには前記画像データを圧縮した状態で当該第１通信速度で送信し、当該外部装置の通信速度が前記第２通信速度のときには前記画像データを非圧縮の状態または前記圧縮した状態よりも低圧縮の状態で当該第２通信速度で送信する。
【０００７】
このコンピュータおよびデータ通信方法によれば、外部装置の通信速度を検出してその通信速度が第１通信速度のときには画像データを圧縮した状態で第１通信速度で送信し、外部装置の通信速度が第２通信速度のときには画像データを非圧縮の状態または低圧縮の状態で第２通信速度で送信することにより、外部装置の通信速度が低速のときには受信に障害が生じない小さなデータサイズの画像データを送信し、外部装置の通信速度が高速のときには高画質の画像を表示可能な大きなデータサイズの画像データを送信することができる。したがって、このコンピュータおよびデータ通信方法によれば、外部装置の通信速度に応じた最適な画像を表示させることができる。また、通信部が外部装置の通信速度を検出して、制御部がその検出結果に基づいて画像データの圧縮状態（圧縮、非圧縮および低圧縮）の決定、並びに通信速度の制御を行うことにより、煩雑な切り替え操作や、外部装置における通信速度（通信手順の規格の種類）を予め調べる作業を省略することができる結果、操作性を十分に向上させることができる。
【０００８】
また、本発明に係るコンピュータは、前記通信部がＵＳＢ通信手順に従ってデータ通信を行う。
【０００９】
このコンピュータによれば、通信部がＵＳＢ通信手順に従ってデータ通信を行うことにより、ＵＳＢ通信手順が数多くの装置（外部装置）に採用されている汎用性の高い通信手順であるため、上記した効果を数多くの装置との組み合わせにおいて実現することができる。
【００１０】
また、本発明に係るプロジェクタシステムは、上記のコンピュータと、前記コンピュータの前記通信部との間でデータ通信を実行可能な前記外部装置としてのプロジェクタとを備えたプロジェクタシステムであって、前記プロジェクタは、受信した前記画像データの圧縮の状態を判別して当該判別結果に応じたデータ処理を当該画像データに対して行う。
【００１１】
このプロジェクタシステムによれば、上記のコンピュータと、そのコンピュータの通信部との間でデータ通信を実行可能な外部装置としてのプロジェクタとを備えたことにより、プロジェクタが、受信した画像データの圧縮の状態を判別してその判別結果に応じたデータ処理を行うことにより、コンピュータから送信された画像データが圧縮状態、非圧縮状態および低圧縮状態のいずれの状態であるかに拘わらずその画像データに基づく画像を確実に投写表示させることができる。
【発明を実施するための最良の形態】
【００１２】
以下、本発明に係るコンピュータ、プロジェクタシステムおよびデータ通信方法の最良の形態について、添付図面を参照して説明する。図１に示すプロジェクタシステム１は、本発明に係るプロジェクタシステムの一例であって、同図に示すように、コンピュータ２、プロジェクタ３（本発明における外部装置）、およびコンピュータ２とプロジェクタ３とを接続するＵＳＢケーブル２００を備えて構成されている。コンピュータ２は、本発明に係るコンピュータの一例であって、図３に示すように、通信部１１、制御部１２、ハードディスクドライブ１３、ＲＡＭ１４、操作部１５、ＶＲＡＭ１６、グラフィックコントローラ１７、ディスプレイ１８、およびこれら各構成要素を接続するバス１９を備えて構成されている。
【００１３】
通信部１１は、ＵＳＢ（Universal Serial Bus）２．０規格に準拠したインターフェイスであって、図３に示すように、コネクタ１１ａおよびＵＳＢコントローラ１１ｂを備えて、ＵＳＢ通信手順に従ってデータ通信を行う。コネクタ１１ａは、図１に示すように、ＵＳＢケーブル２００の差込側（オス側）コネクタ２０１を接続可能に構成されている。ＵＳＢコントローラ１１ｂは、コネクタ１１ａに接続されたＵＳＢケーブル２００を介して外部装置（この例ではプロジェクタ３）との間における画像データＤｇ等の各種データの送受信（通信）を実行する。また、ＵＳＢコントローラ１１ｂは、本発明における検出部として機能し、ＵＳＢケーブル２００を介して接続されているプロジェクタ３のＵＳＢ規格がＵＳＢ１．１規格およびＵＳＢ２．０規格のいずれであるかを検出する。
【００１４】
制御部１２は、各種のコンピュータプログラムに従って各種の処理を実行すると共に、コンピュータ２を構成する各構成要素を制御する。また、制御部１２は、後述する画像データ送信処理５０を実行することにより、ＵＳＢケーブル２００を介してプロジェクタ３に画像データＤｇを送信する。この場合、制御部１２は、画像データ送信処理５０の実行時において、通信部１１のＵＳＢコントローラ１１ｂによって検出された上記ＵＳＢ規格についての検出結果に基づき、画像データＤｇを圧縮した状態とするか、または非圧縮の状態とするかを決定して、いずれかの状態の画像データＤｇを送信する。ハードディスクドライブ１３は、オペレーティングシステム、グラフィカルデバイスインタフェース、ディスプレイドライバ、プロジェクタドライバ、マウスドライバ、キーボードドライバおよびアプリケーションプログラムなどの各種コンピュータプログラムを記憶する。
【００１５】
ＲＡＭ１４は、システムメモリであって、ハードディスクドライブ１３に記憶されている各種のコンピュータプログラムを一時的に記憶する。また、ＲＡＭ１４は、制御部１２によって書き込まれる画像データＤｇを画像データ用の記憶領域内に記憶する。操作部１５は、例えばキーボード１５ａおよびマウス１５ｂ（いずれも図１参照）を備えて構成されている。この場合、キーボード１５ａおよびマウス１５ｂは、操作に応じた操作信号Ｓｏを出力する。ＶＲＡＭ１６は、制御部１２によって書き込まれる画像データＤｇを記憶する。グラフィックコントローラ１７は、ＶＲＡＭ１６に記憶されている画像データＤｇに基づく画像をディスプレイ１８に表示させる。ディスプレイ１８は、例えばＬＣＤ（液晶ディスプレイ）で構成されている。
【００１６】
一方、プロジェクタ３は、本発明に係るプロジェクタの一例であって、スクリーン１００（図４参照）に投写光Ｌを投写することにより、画像データＤｇに基づく画像を投写表示する。具体的には、プロジェクタ３は、同図に示すように、通信部２１、制御部２２、ＲＯＭ２３、フレームデータ処理部２４、操作部２５、投写部２６、光源用電源部２７およびこれらの各要素を接続するバス２８を備えて構成されている。通信部２１は、ＵＳＢ規格（ＵＳＢ１．１規格およびＵＳＢ２．０規格のいずれか）に準拠したインターフェイスであって、コネクタ２１ａおよびＵＳＢコントローラ２１ｂを備えて構成されている。コネクタ２１ａは、図２に示すように、ＵＳＢケーブル２００の差込側コネクタ２０１を接続可能に構成されている。ＵＳＢコントローラ２１ｂは、コネクタ２１ａに接続されたＵＳＢケーブル２００を介して外部装置との間で画像データＤｇ等の各種データの送受信を実行する。
【００１７】
制御部２２は、動作プログラムに従って各種の処理を実行すると共に、プロジェクタ３を構成する各構成要素を制御する。また、制御部２２は、後述する画像表示処理６０を実行することにより、投写部２６を制御して画像表示用の投写光Ｌを投写させる。この場合、制御部２２は、画像表示処理６０の実行時において、コンピュータ２から送信された画像データＤｇのデータ形式（圧縮および非圧縮）を特定して、その結果に応じたデータ処理をフレームデータ処理部２４に実行させる。ＲＯＭ２３は、制御部１２の動作プログラムや、各構成要素の駆動用データ等を記憶する。
【００１８】
フレームデータ処理部２４は、コンピュータ２から送信された画像データＤｇに基づいてフレームデータＤｒを生成する。操作部２５は、電源スイッチ、ズーム調整キーおよび台形補正キー等の各種のスイッチやキーを備えて構成され、これらが操作されたときに操作信号Ｓｏを出力する。投写部２６は、図４に示すように、光源２６ａ、液晶ライトバルブ２６ｂおよび投写レンズ２６ｃを備えて構成され、フレームデータ処理部２４によって生成されるフレームデータＤｒに基づいて光変調した投写光Ｌを投写する。光源用電源部２７は、制御部１２の制御に従って投写部２６の光源２６ａに対して電力を供給する。
【００１９】
次に、プロジェクタシステム１の全体的な動作について、図面を参照して説明する。まず、キーボード１５ａおよびマウス１５ｂを操作して、コンピュータ２にアプリケーションプログラムを起動させる。この際に、制御部１２が、キーボード１５ａおよびマウス１５ｂからの操作信号Ｓｏに従い、ハードディスクドライブ１３からアプリケーションプログラムを読み出してＲＡＭ１４に記憶させると共に、アプリケーションプログラムに従って処理を実行する。この場合、制御部１２は、アプリケーションプログラムによって生成される画像データＤｇをＶＲＡＭ１６に記憶させる。また、グラフィックコントローラ１７が、ＶＲＡＭ１６に記憶された画像データＤｇに基づく画像をディスプレイ１８に表示させる。
【００２０】
次に、アプリケーションプログラムによって生成される画像をプロジェクタ３を用いてスクリーン１００に投写表示させる際には、図１，２に示すように、ＵＳＢケーブル２００の差込側コネクタ２０１をコンピュータ２のコネクタ１１ａおよびプロジェクタ３のコネクタ２１ａにそれぞれ差し込む。この際に、通信部１１のＵＳＢコントローラ１１ｂが、ＵＳＢケーブル２００を構成する各ラインのうちの信号ラインの電位に基づき、ＵＳＢケーブル２００を介して通信部１１とプロジェクタ３の通信部２１との接続を検出すると共に、プロジェクタ３のＵＳＢ規格がＵＳＢ１．１規格およびＵＳＢ２．０規格のいずれであるかを検出する。
【００２１】
次いで、キーボード１５ａおよびマウス１５ｂを操作して、投写表示用プログラムを起動させる。この際に、制御部１２は、投写表示用プログラムに従って図５に示す画像データ送信処理５０を実行する。この画像データ送信処理５０では、制御部１２は、まず、送信用データ生成処理を実行する（ステップ５１）。この場合、制御部１２は、一例として、起動中のアプリケーションプログラムによって生成される画像データＤｇをそのままの状態で（例えばＲＡＷデータの状態で）取得して、ＲＡＭ１４に記憶させる。続いて、制御部１２は、通信部１１のＵＳＢコントローラ１１ｂによる上記の検出結果に基づき、画像データＤｇを圧縮した状態とするか、または非圧縮の状態とするかを決定する。具体的には、制御部１２は、プロジェクタ３のＵＳＢ規格がＵＳＢ１．１規格であるか否かを判別する（ステップ５２）。この際に、制御部１２は、ＵＳＢ規格がＵＳＢ１．１規格であると判別したときには、そのモードがLow-Speed モードであるか、Full-Speedモードであるかを併せて判別する。
【００２２】
ここで、制御部１２は、プロジェクタ３のＵＳＢ規格がＵＳＢ１．１規格で、そのモードがFull-Speedモードであると判別したときには、ＲＡＭ１４に記憶させた画像データＤｇに対して圧縮処理を実行する（ステップ５３）。この場合、制御部１２は、圧縮処理の一例として、画像データＤｇを非可逆圧縮（ロッシー圧縮）してＪＰＥＧ（Joint Photographic Experts Group )形式に変換する。続いて、制御部１２は、通信部１１のＵＳＢコントローラ１１ｂを制御して、圧縮したＪＰＥＧ形式の画像データＤｇをＵＳＢ１．１規格のFull-Speedモードの通信速度（１２Ｍｂｐｓ）で送信させる（ステップ５４）。また、制御部１２は、ステップ５２においてプロジェクタ３のＵＳＢ規格がＵＳＢ１．１規格で、そのモードがLow-Speed モードであると判別したときには、画像データＤｇをFull-Speedモードのときよりも高圧縮のＪＰＥＧ形式に変換して（ステップ５３）、その画像データＤｇをＵＳＢ１．１規格のLow-Speed モードの通信速度（１．５Ｍｂｐｓ）で送信させる（ステップ５４）。また、制御部１２は、ステップ５２において、プロジェクタ３のＵＳＢ規格がＵＳＢ２．０規格であると判別したときには、通信部１１のＵＳＢコントローラ１１ｂを制御して、ＲＡＭ１４に記憶させた画像データＤｇをそのままの状態（非圧縮の状態）でＵＳＢ２．０規格の通信速度（４８０Ｍｂｐｓ）で送信させる（ステップ５５）。
【００２３】
一方、プロジェクタ３では、制御部２２が、ＲＯＭ２３に記憶されている動作プログラムに従って光源用電源部１７を制御して、投写部２６の光源２６ａに電力を供給させる。また、制御部２２は、動作プログラムに従って図６に示す画像表示処理６０を実行する。この画像表示処理６０では、制御部２２は、通信部２１が画像データＤｇを受信したか否かを判別する（ステップ６１）。この場合、制御部２２は、通信部２１が画像データＤｇを受信していないと判別したときには、ステップ６１を繰り返して実行する。一方、通信部２１が画像データＤｇを受信したと判別したときには、制御部２２は、画像データＤｇがＪＰＥＧ型式であるか否か、つまり画像データＤｇが圧縮状態か非圧縮状態かを判別する（ステップ６２）。
【００２４】
この場合、制御部２２は、画像データＤｇがＪＰＥＧ型式である、つまり圧縮状態であると判別したときには、フレームデータ処理部２４を制御して、ＪＰＥＧ型式の画像データＤｇに基づくデータ処理を実行させることによってフレームデータＤｒを生成させる（ステップ６３）。一方、画像データＤｇがＪＰＥＧ型式ではない、つまり非圧縮状態であると判別したときには、制御部２２は、フレームデータ処理部２４を制御して、非圧縮状態（ＲＡＷ形式）の画像データＤｇに基づくデータ処理を実行させることによってフレームデータＤｒを生成させる（ステップ６４）。次いで、投写部２６の液晶ライトバルブ２６ｂが光源２６ａからの光をフレームデータＤｒに基づいて投射光Ｌに光変調する。この際に、投射光Ｌが、投写レンズ２６ｃを通過して、プロジェクタ３の前方に向けて拡大されつつ投写される。これにより、画像データＤｇに基づく画像がスクリーン１００に投写表示される。
【００２５】
このように、このコンピュータ２、プロジェクタシステム１およびデータ通信方法によれば、プロジェクタ３におけるＵＳＢ規格がＵＳＢ１．１規格のときには圧縮した状態の画像データＤｇをＵＳＢ１．１規格の通信速度で送信し、ＵＳＢ２．０規格のときには非圧縮状態の画像データＤｇをＵＳＢ２．０規格の通信速度で送信することにより、プロジェクタ３の通信速度が低速のときには受信に障害が生じない小さなデータサイズの画像データＤｇを送信し、通信速度が高速のときには高画質の画像を表示可能な大きなデータサイズの画像データＤｇを送信することができる。したがって、このコンピュータ２、プロジェクタシステム１およびデータ通信方法によれば、プロジェクタ３の通信速度に応じた最適な画像を表示させることができる。また、通信部１１がプロジェクタ３のＵＳＢ規格の種類を検出して、制御部１２がその検出結果に基づいて画像データＤｇの圧縮および非圧縮、並びに通信速度の制御を行うことにより、煩雑な切り替え操作や、プロジェクタ３におけるＵＳＢ規格の種類を予め調べる作業を省略することができる結果、操作性を十分に向上させることができる。また、このプロジェクタシステム１によれば、プロジェクタ３が、受信した画像データＤｇの圧縮の状態を判別してその判別結果に応じたデータ処理を行うことにより、コンピュータ２から送信された画像データＤｇが圧縮状態か非圧縮状態かに拘わらずその画像データＤｇに基づく画像を確実に投写表示させることができる。
【００２６】
また、このコンピュータ２によれば、ＵＳＢ通信手順に従ってデータ通信を行う通信部１１を備えたことにより、ＵＳＢ通信手順が数多くの装置（外部装置）に採用されている汎用性の高い通信手順であるため、上記した効果を数多くの装置との組み合わせにおいて実現することができる。
【００２７】
なお、本発明は、上記の構成に限定されない。例えば、ＵＳＢ規格に準拠した通信部１１を備えた例について上記したが、これに限定されず、通信速度の異なる複数の規格を有する通信手順でデータ通信を行う各種の通信部を備えたコンピュータに適用することができる。また、ケーブルを用いることなくこの種の通信手順で無線通信を行う通信部を備えたコンピュータに適用することもできる。
【００２８】
また、圧縮処理において画像データＤｇを非可逆圧縮（ロッシー圧縮）してＪＰＥＧ形式に変換する例について上記したが、ＪＰＥＧ形式以外の他の型式に変換する構成や、可逆圧縮（ロスレス圧縮）によってＧＩＦ（Graphics Interchange Format ）形式やＰＮＧ (Portable Network Graphics)形式等の他の型式に変換する構成を採用することもできる。また、プロジェクタ３のＵＳＢ規格がＵＳＢ２．０規格のときに画像データＤｇを非圧縮の状態で送信する例について上記したが、このときに画像データＤｇをＪＰＥＧ形式よりも圧縮率の低い（低圧縮状態の）型式（例えば上記したＧＩＦ形式やＰＮＧ形式）に変換する構成を採用することもできる。
【００２９】
さらに、外部装置としてのプロジェクタ３に画像データＤｇを送信する例について上記したが、本発明における外部装置にはＣＲＴ、液晶表示パネルおよびプラズマディスプレイ等の各種の装置が含まれ、これらの装置にコンピュータ２から画像データＤｇを送信するときにおいても上記の効果と同様の効果を実現することができる。
【図面の簡単な説明】
【００３０】
【図１】プロジェクタシステム１の構成を示す構成図である。
【図２】プロジェクタ３を背面側から見た斜視図である。
【図３】コンピュータ２の構成を示すブロック図である。
【図４】プロジェクタ３の構成を示すブロック図である。
【図５】画像データ送信処理５０のフローチャートである。
【図６】画像表示処理６０のフローチャートである。
【符号の説明】
【００３１】
１  プロジェクタシステム、２  コンピュータ、３  プロジェクタ、１１，２１  通信部、１１ｂ  ＵＳＢコントローラ、１２，２２  制御部、Ｄｇ  画像データ
【図１】
2008134675.tif 000003
【図２】
2008134675.tif 000004
【図３】
2008134675.tif 000005
【図４】
2008134675.tif 000006
【図５】
2008134675.tif 000007
【図６】
2008134675.tif 000008